(57)【特許請求の範囲】
【請求項１】
ます本体に１つの流出口と複数の流入口とをもち、かつ、該ます本体の上向き嵌合口で蓋により閉塞した床下配管等の合成樹脂製集合ますにおいて、
前記複数の流入口のます本体内の開口側を上下方向の放射状仕切板と、該仕切板の隣同士に亘る逆Ｌ字状天板とで区画して仕切体を構成し、該仕切体を、前記蓋に設けることにより、前記天板により前記開口部を庇状に覆って排水を良好にガイドすると共に、該集合ますの高さを低くするようにしたことを特徴とする床下配管等の合成樹脂製集合ます。
【請求項２】
ます本体に１つの流出口と複数の流入口とをもち、これらの流入口と流出口との間に段差を設けたインバ−ト部を形成し、かつ、該ます本体の上向き嵌合口で蓋により閉塞した床下配管等の段差付合成樹脂製集合ますにおいて、
前記複数の流入口のます本体内の開口側を上下方向の放射状仕切板と、該仕切板の隣同士に亘る逆Ｌ字状天板とで区画して仕切体を構成し、該仕切体を前記蓋に設けることにより、前記段差を確保しながら区画して、前記天板により前記開口部を庇状に覆って排水を良好にガイドすると共に、該集合ますの高さを低くするようにしたことを特徴とする床下配管等の合成樹脂製集合ます。
【請求項３】
前記集合ますをドロップますに適用した請求項１に記載の合成樹脂製集合ます。
【請求項４】
前記集合ますを床下配管用集合一括排水設備の集合ますに適用した請求項２に記載の合成樹脂製集合ます。
【請求項５】
前記仕切板と天板とを前記蓋下面に吊設した上下方向の軸に設けた請求項１から４に記載の合成樹脂製集合ます。
【発明の詳細な説明】
【０００１】
【発明の属する技術分野】
本発明は、合成樹脂製集合ますに関するものである。
【０００２】
【従来の技術】
一般に、部材を予め工場生産し、施工現場でこれを組立てる構造、すなわち、プレハブ構造（工業化構造）によって建物のユニット化が行われている。
【０００３】
これによると、現場での労務量を減らし、全体の工期を短縮し、設備の整った条件で工場生産することで品質の安定性が得られる、とされている。
【０００４】
そのため、屋内給水・給湯については、配管のユニット化が行われているが、屋内排水管についても、ユニット化による合理化を強く要請されている。
【０００５】
そこで、屋内排水管のユニット化（プレハブ配管ともいう）について、各種の提案が行われている（例えば特開平４−３６８５２３号公報、特開平５−１５６６７５号公報、特開平７−７１６７６号公報、特開２００１−４０７４５号公報、特開２００１−２２０７９２号公報等参照）。
【０００６】
例えば、前掲の特開２００１−４０７４５号公報には、流し台、洗面台、浴槽、洗濯機（これらを雑排器具ともいう）等の排水を、屋外に排出するため、家屋の床と基礎コンクリ−トであるスラブ面との懐空間に、その内部を点検する点検口と、排水を排出する流出口と、排水が前記流し台等から流入する流入口と、を設けたます本体を設け、前記点検口を密閉する蓋を設け、前記流出口に接続され、排水を屋外に排出する１本の排出主管を設け、前記流し台等と流入口とを、可撓管からなる排水枝管で接続した集合ますからなる屋内の床下配管が紹介されている。
【０００７】
そして、かかる床下配管における排水枝管を、予め生産工場等で切断加工して流入口に接続した後、施工現場に搬入して布設すると、床下配管の位置決め等を省略し、工期を大幅に短縮すると共に、人件費を節約し、更に施工現場での水密性の試験を省略でき、その上、極めて信頼性の高い商品にすることができる、とされている。
【０００８】
ところが、かかる床下配管の集合ますでは、その底部にインバ−トを形成していても、流入する排水の流速が速いと、一方の流入口から流入した排水が他方の流入口に逆流し、特に排水中に固形物が含まれていると、他方の流入口に堆積するおそれがあり、そのため、流入した排水をスム−ズに流すため仕切板を、仮に設けても、仕切板のところで排水の通路が狭くなっているため排水の流速が遅いと、前記固形物の滞留が発生しやすい、という問題が考えられる。
【０００９】
一方、かかる問題を解決しようとする一般の宅内排水ますが、次のように提案されている（特開平１１−２８０１３７号公報参照）。
【００１０】
すなわち、流入口から流入する排水の状況に応じて、他の流入口へ逆流を防止し、かつ、排水ます内部の詰まりを防止する仕切板を着脱自在に設けて、流入口から流出口への流れ方向を変化させるようにした宅内排水ますが提案されている。
【００１１】
【発明が解決しようとする課題】
しかしながら、かかる着脱自在の仕切板付の宅内排水ますは、その排水枝管の一つがトイレに接続されたり、また、他の一つが階上の排水管に接続されたりして、その固形物が汚物であったり、流れの流速が極めて速い、という排水の状況に使用されるため、これらの条件を異にする床下配管における集合ますには適用できない、という問題が考えられる。
【００１２】
しかも、かかる宅内排水ますでは長寸の点検筒を用いているので、床とスラブ面との懐空間（高さ約４００〜６００ｍｍ）には適用できない、という問題がある。
【００１３】
そこで本発明は、かかる諸問題を一掃することを主たる目的とし、床下配管における集合ますの高さを可及的に低くすることを副たる目的とするものである。
【００１４】
【課題を解決するための手段】
本発明は、かかる目的を達成するため、本発明は、１）ます本体に１つの流出口と複数の流入口とをもち、かつ、該ます本体の上向き嵌合口で蓋により閉塞した床下配管等の合成樹脂製集合ますにおいて、前記複数の流入口のます本体内の開口側を上下方向の放射状仕切板と、該仕切板の隣同士に亘る逆Ｌ字状天板とで区画して仕切体を構成し、該仕切体を、前記蓋に設けることにより、前記天板により前記開口部を庇状に覆って排水を良好にガイドすると共に、該集合ますの高さを低くするようにしたことを特徴とする床下配管等の合成樹脂製集合ますにあり、また、２）ます本体に１つの流出口と複数の流入口とをもち、これらの流入口と流出口との間に段差を設けたインバ−ト部を形成し、かつ、該ます本体の上向き嵌合口で蓋により閉塞した床下配管等の段差付合成樹脂製集合ますにおいて、前記複数の流入口のます本体内の開口側を上下方向の放射状仕切板と、該仕切板の隣同士に亘る逆Ｌ字状天板とで区画して仕切体を構成し、該仕切体を前記蓋に設けることにより、前記段差を確保しながら区画して、前記天板により前記開口部を庇状に覆って排水を良好にガイドすると共に、該集合ますの高さを低くするようにしたことを特徴とする床下配管等の合成樹脂製集合ますにあり、また、３）前記集合ますをドロップますに適用した請求項１に記載の合成樹脂製集合ますにあり、また、４）前記集合ますを床下配管用集合一括排水設備の集合ますに適用した請求項２に記載の合成樹脂製集合ますにあり、また、５）前記仕切板と天板とを前記蓋下面に吊設した上下方向の軸に設けた請求項１から４に記載の合成樹脂製集合ますを要旨とするものである。
【００１５】
【発明の実施の形態】
本発明を図面に示す実施例により詳細に述べる。
【００１６】
図１は本発明の実施例の全体図、図２は図１の要部外観図、図３は図２の縦断面図、図４は図２の一部（蓋）省略平面図、図５は図３の要部変形図で、図５（Ａ）は平面図、図５（Ｂ）は図５（Ａ）の側面図、図６は図５の底面図（Ａ）と、図６（Ａ）におけるａ矢視断面図（Ｂ）とを示し、図７は図３の変形例断面図を示す。
【００１７】
本発明の実施例の屋内排水用のユニット化した床下配管、すなわち、集合一括排水設備１は、木造戸建住宅に好適であるが、小規模集合住宅にも適用できるものである。
【００１８】
なお、本明細書における木造には、在来軸組み木造工法、ツ−バイフォ−工法、集成材による大断面木造等が含まれる。
【００１９】
勿論、本実施例は、鉄骨ユニット工法による戸建住宅にも適用できる。
【００２０】
先ず、この集合一括排水設備１の概要を述べる。図１において、例えば、木造家屋２を建設するには敷地に根切り等を施し、ベ−スとなるフ−チングや布基礎４′等の基礎工事を、排水主管用スリ−ブ等の手当をしてから行う。
【００２１】
この基礎工事のコンクリ−トの養生後、床下全面に防湿コンクリ−ト３を打設する。この防湿コンクリ−ト打設時には、後記のアンカ−ボルト１９をそのコンクリ−ト内に埋設する。
【００２２】
この防湿コンクリ−ト３の養生後、集合ます４をアンカ−止め等により取外し自在に固定・載置すると共に、１本の排水主管５を布設してこの集合ます４と接続する。その後、本体工事を行い、次いで内部工事に伴って２次の屋内配管を行う。
【００２３】
すなわち、例えば、台所の内部工事を行えば、その流し台と集合ます４とを、可撓管を用いた排水枝管６で雑排器具接続用ソケット７によりワンタッチ式に接続する。
【００２４】
この排水枝管６の長さは、施工図面によって予め判明した長さに切管しており、したがって、接続するだけで所定の流れ勾配が得られるものである。
【００２５】
同様に、洗面台、洗濯機および浴槽を設置する内部工事毎に、それぞれ排水枝管６を既設の集合ます４と接続する。
【００２６】
この集合ます４は、木造家屋２の床８下の懐空間に載置しており、その真上の床８には不図示の点検口を開閉自在に設け、集合ます４の保守点検を行うようにしている。なお、図１中、９は根太を示す。
【００２７】
以上のような戸建住宅用等の屋内排水用の集合一括排水設備１の工法であるから、施工精度が向上し、コンクリ−ト工事業者等の多能工でも充分に配管することができ、施工のタイムラグを防ぎながら、施工に伴う人件費（配管施工費の約７割を占めるもの）を節減することができ、しかも、屋外の宅内排水ますの数も節減することができる。
【００２８】
次に、以上のような屋内排水用の集合一括排水設備１における集合ます４を詳細に述べる。
【００２９】
先ず、この集合ます４の概要を述べる。主として、図２および図３において、この集合ます４は、平面視で円形（勿論４方形でも可）のいわゆる合成樹脂（塩ビ射出成形）製合流段差付ますで構成し、放射状ないし、排水主管５の管軸に対し平行および直交に多数の排水枝管６が接続できるようにしている。
【００３０】
すなわち、このます本体１０には横向きに、１つの比較的大口径（例えば１００ｍｍφ）の排水主管用接続口（具体的にはゴム輪受口であるが、流出口とも表現する）１１と、複数（４個）の比較的小口径（例えば６０ｍｍφ）の排水枝管用接続口（具体的にはワンタッチ式接続口であるが、流入口とも表現する）１２，１２…とを各一体突設し、これらの排水主管用接続口１１と排水枝管用接続口１２との間に段差（例えば５５ｍｍ）Ｓを設けたインバ−ト部１３を形成している。
【００３１】
また、この寸胴状になったます本体１０には、上向きに大口径（例えば２００ｍｍφ）の蓋用嵌合口１４を形成し、この蓋用嵌合口１４には仕切体１７付の蓋１５が着脱自在に、リップ状パッキン１６を介して完全密閉して、下水臭を屋内に漏らさないようにしている。
【００３２】
そして、前記のように複数の排水枝管用接続口１２を設けて、屋内の各種の雑排器具からの排水が流入しても、後記詳細の仕切体１７と、比較的大きくとった段差Ｓとによって、他の排水枝管６へ逆流しないようにしている。
【００３３】
また、このます本体１０の下部には、図２および図４で示すようにアンカ−ボルト用フランジ１８を形成し、このフランジ１８に、防湿コンクリ−ト３に打込まれた複数のアンカ−ボルト１９，１９を係合し、このます本体１０を防湿コンクリ−ト３に載置して固定し、床下配管作業をきわめて容易にしている。
【００３４】
なお、前記排水主管５は、防湿コンクリ−ト３で固定された支持金具２０により支持されて防湿コンクリ−ト３上で配管し、エルボ２１を介して防湿コンクリ−ト３や布基礎４′を貫通して屋外のトラップます（不図示）に接続するようにしている。
【００３５】
ここにおいて、このます本体１０には、排水主管用接続口１１側を除く３方側に、各２つの平行になった排水枝管用接続口１２を予め形成したので、略同一面上に計６個の流入用接続口（１２）が形成でき、集合ます４の高さを低くする配管に好都合とすると共に、各種の雑排器具の数に不足なく、また、同一方向からの接続を容易にすることができる。しかも、２個平行流入になるので、ます本体１０内での互いの流水による撥ね返りを防ぐことができる。なお、不要な接続口（１２）は閉栓する。
【００３６】
殊に、このます本体１０を射出成形製にすれば、成形用金型の型じめ型割りが容易にでき、ひいては、射出成形用金型や成形機を複雑化せず、生産性を向上する。
【００３７】
次に、前記仕切体１７について述べる。図３、図５および図                        ６において、この仕切体１７は、ます本体１０に設けた複数の排水枝管用接続口１２，１２…を各区画する垂直状にした８枚の放射状仕切板２２と、ます本体１０に設けた比較的大きい段差Ｓを、利用して排水主管用接続口１１へ迅速且つ円滑に流出させると共に、排水の撥ね上げを防止する、前記仕切板２２の隣同志に亘る逆Ｌ字状天板２３と、から構成している。
【００３８】
勿論、前記放射状仕切板２２は、前記排水枝管用接続口１２をそれぞれ区画するものに限らず、２つの接続口１２，１２をまとめて区画するものでもよい。したがって、この場合、仕切板２２は４枚ですむ。
【００３９】
そのため、放射状仕切板２２によって、排水が流入しないときの他の流入口（１２）へ逆流を防止したり、排水が同時に流入して衝突による撥ね上げ・飛び散りを防止したり、殊に、上向きラッパ体２５の一部で構成する逆Ｌ字状天板２３によって、比較的大きくとった段差Ｓを利用して迅速に流出させ、ひいては、ます本体１０の高さを可及的に抑えることができ、限られた懐空間での床下配管に好都合にすることができる。
【００４０】
その結果、防湿コンクリ−ト３等にピット等を形成せず、打設工事を簡易にすることができる。
【００４１】
これらの放射状仕切板２２や逆Ｌ字状天板２３は、中心軸（上下方向にした軸）２４と一体射出成形している。
【００４２】
すなわち、パイプ状中心軸２４の下部に、上向きラッパ体２５の最小径部が、特に図６（Ｂ）に示すように、一体になっており、また、この上向きラッパ体２５を、特に図５（Ｂ）に示すように、四辺形の仕切板２２，２２によって垂直方向に且つ中心軸２４を中心とする放射状に等間隔で区画するように一体成形している。
【００４３】
この上向きラッパ体２５は、特に図５（Ａ）で示すように、平面視で円板状になっていて、その最大径より仕切板２２が突出している（図３では突出していない）。
【００４４】
この上向きラッパ体２５の一部で構成する逆Ｌ字状天板２３は、図３に示すように、排水枝管用接続口１２のます本体１０における内側開口部を庇状に覆って排水を良好にガイドしている。
【００４５】
また、前記中心軸２４の下端とその下端が略一致する放射状仕切板２２は、図３に示すように、段差Ｓの高さに略一致させていて、放射状になってその基部が絞られた仕切板２２であっても、排水の滞留を防ぎ、直ちに段差Ｓへ流下させるようにしている。
【００４６】
また、放射状仕切板２２や逆Ｌ字状天板２３が一体成形されている中心軸２４は、蓋１５の下面中央部で組付一体化し（図３では組付構造を省略）、蓋１５を取外すと、仕切体１７をます本体１０から取出すことができ、ます本体１０を含めた床下配管の保守点検掃除が容易にできる。
【００４７】
この蓋１５と中心軸２４とを一体化するには、次のようにしている。図７および図６（Ｂ）に示すように、蓋１５の下面中央に短軸３０を一体にして突設し、この短軸３０の下端に、左右１対の逆止爪付弾性片２９と、これらの弾性片２９と直交する方向に１つのキ−２８をそれぞれ軸方向に延設する。
【００４８】
一方、前記中心軸２４には、そのパイプの上端から軸方向の切欠部２５′を設けると共に、上端に狭窄状係止部２８を設け、この切欠部２５′に前記キ−２８を嵌合して蓋１５と中心軸２４との回り止めにし、また、前記１対の弾性片２９を、樹脂変形させて、この狭窄状係止部２８を超え、その爪を狭窄状係止部２８に係合させて抜け止めにして、総じて、ガッチリと一体的に組付ける。
【００４９】
したがって、仕切体１７と蓋１５とは別体にして、その合成樹脂射出成形を容易にしている。
【００５０】
ここにおいて、前記切欠部２５′を若干長寸に形成したので、キ−２８を嵌合しても、下方開口のパイプ状中心軸２４は、パイプ内外と連通するようになっている。
【００５１】
そのため、この切欠部２５′が環流口となって、流入口（１２）の１つから満管流で排水が流入すると、集合ます４内に真空を形成するおそれがあって、他の流入口１２の上流側のトラップ（封水）を破壊しやすいので、集合ます４内の空気を、図７のＣ矢印（また  はＣ矢印逆方向）のように、ます本体１０内を環流させ、この真空を防いでいる。
【００５２】
勿論、蓋１５と仕切体１７とを一体化せず、仕切体１７の放射状仕切板２２の上下方向の外端部を、ます本体１０の内面に突設した上下方向の２突条による嵌合溝に嵌合させて、仕切体１７を組付けてもよい。
【００５３】
なお、図２および図４中、２６はます本体１０の上縁に一体形成突設した１対の係止鉤であって、この係止鉤２６に蓋１５のフランジをバヨネット結合により着脱自在に取付ける。
【００５４】
なお、本実施例の集合ます（会所ます）は、床下配管における集合一括排水設備に用いるが、本発明はこれに限らず、他の一般の宅内排水ますにも適用することができ、更に、流出口が下向きになったドロップますにも適用することができる。
【００５５】
【発明の効果】
本発明によると、放射状仕切板と天板とで、複数の流入口の各開口部または２つの開口部を区画したので、他の流入口へ排水の逆流を防止できるのは勿論、排水同志の衝突により撥ね上がりや飛び散りを防止することができることから、１つの集合ますに多数の流入口を設けることができ、ひいては、床下配管等のユニット化に好都合にすることができる。
【００５６】
殊に、仕切板と天板とによる仕切体をます本体に内装したので、あたかも、流入口から独立した管路が多数束ねて形成でき、ひいては、ます本体をコンパクトにし、いわゆるヘッダ−タイプの集合路の高さと同様になり、したがって、ます本体の高さを低くすることができる。
【００５７】
更に、流出側を除く３方それぞれに、２つの流入口を略同一平面上に設けたので、多数の流入口を設けても、ます本体の高さを低くすることができる。
【００５８】
勿論、排水主管の軸方向に長尺のヘッダ−タイプの集合ますに比べ、設置場所をとらず床下配管に好都合となる。
【図面の簡単な説明】
【図１】  本発明の実施例の全体図である。
【図２】  図１の要部外観図である。
【図３】  図２の縦断面図である。
【図４】  図２の一部省略平面図である。
【図５】  図３の要部変形図で（Ａ）は平面図、（Ｂ）は（Ａ）の側面図である。
【図６】  図５の底面図（Ａ）と、図６（Ａ）におけるａ矢視断面図（Ｂ）である。
【図７】  図３の変形例断面図である。
【符号の説明】
１…集合一括排水設備、４…集合ます、１０…ます本体、１１…排水主管用接続口、１２…排水枝管用接続口、１５…蓋、２２…放射状仕切板、２３…逆Ｌ字状天板
【図１】
0003791770.tif 000002
【図２】
0003791770.tif 000003
【図３】
0003791770.tif 000004
【図４】
0003791770.tif 000005
【図５】
0003791770.tif 000006
【図６】
0003791770.tif 000007
【図７】
0003791770.tif 000008